(57)【要約】【課題】耐衝撃性、小型化及び照明機能内蔵を並立した、カバーを平板で構成した監視カメラを提供すること。【解決手段】照明手段と、前記照明手段によって照射される領域を撮像する撮像手段と、前記照明手段と前記撮像手段が収納された平面状の光透過性のカバーを備えた筺体と、前記照明手段の照明光の前記カバー内における内部反射が前記撮像手段へ侵入するのを防ぐ遮光部材と、前記遮光部材は前記撮像手段の撮影口を囲い前記カバーに当接する筒状の弾性体であることを備えた撮像装置において、前記照明手段は前記撮像手段より撮影光軸方向において前方に配置されており、遮光手段は筒状形状の内側のカバーとの当接部付近に突起形状を持つことを特徴とする。【選択図】図４
2017163296.tif 000002
【特許請求の範囲】
【請求項１】
照明手段と、 
前記照明手段によって照射される領域を撮像する撮像手段と、 
前記照明手段と前記撮像手段が収納された平面状の光透過性のカバーを備えた筺体と、 
前記照明手段の照明光の前記カバー内における内部反射が前記撮像手段へ侵入するのを防ぐ遮光部材と、 
前記遮光部材は前記撮像手段の撮影口を囲い前記カバーに当接する筒状の弾性体であることを備えた撮像装置において、 
前記照明手段は前記撮像手段より撮影光軸方向において前方に配置されており、
遮光手段は筒状形状の内側のカバーとの当接部付近に突起形状を持つことを特徴とする撮像装置。
【請求項２】
前記突起部形状は前記カバーに触れていないことを特徴とする請求項１に記載の撮像装置。
【請求項３】
照明手段と、 
前記照明手段によって照射される領域を撮像する撮像手段と、 
前記照明手段と前記撮像手段が収納された平面状の光透過性のカバーを備えた筺体と、 
前記照明手段の照明光の前記カバー内における内部反射が前記撮像手段へ侵入するのを防ぐ遮光部材と、 
前記遮光部材は前記撮像手段の撮影口を囲い前記カバーに当接する筒状の弾性体であることを備えた撮像装置において、 
前記照明手段は前記撮像手段より撮影光軸方向において前方に配置されており、
前記遮光手段は筒状形状の内側に切れ込み形状を持つことを特徴とする撮像装置。
【発明の詳細な説明】
【技術分野】
【０００１】
本発明は、監視カメラ等のカメラ装置に関し、特に耐衝撃性を備えたカメラ装置に関する。
【背景技術】
【０００２】
近年、画像を遠隔的にモニタリングできる監視カメラにおいて、自然現象や第３者による外力が加えられても機能を失わない耐衝撃性が求められている。さらに、設置場所との親和性向上や被監視者に対する威圧感低減のための小型化や、照明機能の内蔵も従来から監視カメラに求められており、これら機能との並立が求められる。
【０００３】
これまで、耐衝撃性、小型化及び照明機能内蔵の並立を目的に種々の形態が開示されている。特許文献１では、ドーム型のカバー内に照明手段と撮像手段を設け、照明手段と撮像手段の間にドーム型カバーに密着させた弾性体の遮光手段を形成している。これにより、ドーム内で乱反射する照明光の撮像手段への進入を防ぎながら、照明機能を含む全要素をドーム内に収めて、小型化と耐衝撃性を実現している。
【０００４】
一方、特許文献１に開示された従来技術では、カバーがドーム型のために、取得できる画像の歪みや解像度の低下を招く。このため、特許文献２では、カバーを平板で構成する監視カメラに対し、耐衝撃性を付与した構成が提案されている。
【０００５】
耐衝撃性を備えた照明機能内蔵の監視カメラにおいて、照明手段が配置される位置は、カバーが外力を加えられて変形しても接触しない位置でなくてはならない。ドーム型のカバーを備える監視カメラでは、撮影光軸方向に対して水平方向に外力が加わる可能性がある。この為ドーム型カバーから一定の距離を確保しなくてはならないため、照明手段は撮像手段より撮影光軸方向において後方に配置される。この時、照明光線は撮像手段の鏡筒部等にケラレる問題があり、配置の自由度の低さや大型化の課題を持つ。
【０００６】
しかし、平板のカバーでは撮影光軸方向に対して平行方向の正面からのみ外力が加わるため、照明手段を撮像手段より撮影光軸方向において前方に配置できる。このため、ドーム型カバーに対して照明がケラレにくく、設計の自由度が高い利点がある。
【先行技術文献】
【特許文献】
【０００７】
【特許文献１】特許第4397674号公報
【特許文献２】特許第4375196号公報
【発明の概要】
【発明が解決しようとする課題】
【０００８】
しかしながら、特許文献２のようにカバーを平板で構成し、照明手段を撮像手段より撮影光軸方向において前方に配置すると、外力が加えられたときに、弾性部材で構成された遮光手段が、外力により変形したカバーに押されて変形し、照明手段に衝突する恐れがある。これにより、照明手段の機能障害につながる恐れがある。
【０００９】
一方、遮光部材の変形範囲外まで照明手段を逃がして配置した場合、監視カメラ本体の大型化を招いてしまう。
【００１０】
そこで、本発明の目的は、耐衝撃性、小型化及び照明機能内蔵を並立した、カバーを平板で構成した監視カメラを提供することにある。
【課題を解決するための手段】
【００１１】
上記の目的を達成するために、本発明に係る撮像装置は、
照明手段と、 
前記照明手段によって照射される領域を撮像する撮像手段と、 
前記照明手段と前記撮像手段が収納された平面状の光透過性のカバーを備えた筺体と、 
前記照明手段の照明光の前記カバー内における内部反射が前記撮像手段へ侵入するのを防ぐ遮光部材と、 
前記遮光部材は前記撮像手段の撮影口を囲い前記カバーに当接する筒状の弾性体である事
を備えた撮像装置において、 
前記照明手段は前記撮像手段より撮影光軸方向において前方に配置されており、
遮光手段は筒状形状の内側のカバーとの当接部付近に突起形状を持つ
ことを特徴とする。
【発明の効果】
【００１２】
本発明に係る撮像装置によれば、遮光手段の内側に突起形状を持つことを特徴とするため、外力により変形したカバーに遮光部材が押圧された場合、変形したカバーは遮光部材の内側に設けられた突起形状に当接するため、遮光部材は内側に傾倒し、遮光部材が遮光部材の外周に配置される照明手段に接触することを回避できる。以上より、小型である事を維持しながら、耐衝撃性と照明機能内蔵を並立することができる。
【図面の簡単な説明】
【００１３】
【図１】本発明を適用した監視カメラの外観図
【図２】本発明を適用した監視カメラの分解斜視図
【図３】本発明を適用した監視カメラの第１の実施例の断面図
【図４】本発明を適用した監視カメラの第１の実施例の効果を説明した断面図
【図５】本発明を適用した監視カメラの第２の実施例の断面図
【図６】本発明を適用した監視カメラの第２の実施例の効果を説明した断面図
【発明を実施するための形態】
【００１４】
以下に、本発明の好ましい実施の形態を、添付の図面に基づいて詳細に説明する。
【００１５】
図１は本発明の実施形態にかかわる監視カメラの本体1である。
【００１６】
監視カメラは本体1を外部からの飛来物や風雨、加力や直射日光から保護するための不図示の外装部と本体１から構成される。ケーブル2は本体1の内部に配置された不図示の制御基板へつながり、電源供給やデータ通信を行う。
【００１７】
図２は本体1の分解斜視図である。
【００１８】
撮像手段としてレンズユニット11及び不図示の制御基板は、筺体としてメインケース12の内部に配置されている。メインケース12の前方には、照明手段としてＬＥＤユニット13が配置されている。ＬＥＤユニット13は、放熱板14に保持され、更にＬＥＤユニット13を保持する放熱板14は、メインケース12に保持される。さらにメインケース12の前方には、フロントケース15が配置されており、平板のカバー17とゴムなどの弾性部材で構成されたカバー受け18を固定部材16と挟み込む事で固定している。メインケース１2と固定部材16を締結することで、間に挟まれるフロントケース15やカバー17は固定される。
【００１９】
レンズユニット11の前方には、ＬＥＤユニット13から照射される照明光がレンズユニット11に入り込むのを防止する遮光手段として、遮光部材19が配置される。望ましくは、カバー17を通してレンズユニット11の基板が見えないように、図示しない化粧板を配置してもよいが、機能に直接関係しないので本説明では省略する。
【００２０】
［実施例１］
以下、図３乃至図４を参照して、本発明の第1の実施例について説明する。
【００２１】
図３は実施例１の遮光部材19付近の断面図である。
【００２２】
筒状の遮光部材19の開口部はレンズユニット11に構成される鏡筒20の撮影口を囲むように配置され、もう一方の開口部はカバー17に密着している。カバー側の開口部付近では、遮光部材19の一部が突起形状22を形成している。
【００２３】
LEDユニット13に構成される光源21からの照射光はカバー17の肉厚内で乱反射を繰り返し、レンズユニットへ侵入する。遮光部材19によってレンズユニット11へ侵入する光線は十分乱反射を繰り返した後の光線に限定されるので、光線はレンズユニット11によって取得される画像に影響ない強度まで落ちている。
【００２４】
本実施例では、遮光部材19は鏡筒20へ配置しているが、もちろん遮光機能を達成するのであれば、設置場所は鏡筒20以外でもよい。
【００２５】
図４は実施例１の遮光部材19付近の断面図であり、外力によりカバーが変形している様子を示す。
【００２６】
外力によりカバー17が変形し、弾性部材で構成されているカバー受け部材18はカバー17に押され変形する。遮光部材19も変形したカバー17に押され変形する。この時、遮光部材19の内側に配置される突起形状22がカバーに押されるため、遮光部材19は内側に倒れる。遮光部材19の内側はレンズユニット11の撮影口になっており、何も配置されていないため、遮光部材の変形により内部部材には接触しない。このため、レンズユニット11を移動させることなく、カメラ機能を維持することが可能となる。この時望ましくは、遮光部材19が変形することで、遮光部材19が配置されているレンズユニット11やその他部材への力や衝撃の伝搬が軽減されるとよい。
【００２７】
以上により、サイズを維持したまま大型化することなく、耐衝撃性と照明機能内蔵を並立した、カバーを平板で構成した監視カメラが実現される。遮光部材に配置される突起形状22は、本実施例ではカバー１７に密着していないが、カバー１７が変形する範囲内に配置されていれば上述する結果を得ることができる為、カバー１７に密着していてもよい事は言うまでもない。
【００２８】
［実施例２］
以下、図５乃至図６を参照して、本発明の第２の実施例について説明する。
【００２９】
図５は実施例２の遮光部材19付近の断面図である。
【００３０】
第２の実施例は、遮光部材に切れ込み形状２３が配置されている。LEDユニット13に構成される光源21からの照射光はカバー17の肉厚内で乱反射を繰り返し、レンズユニットへ侵入する。遮光部材19によってレンズユニット11へ侵入する光線は十分乱反射を繰り返した後の光線に限定されるので、取得できる画像に影響ない強度まで落ちている。遮光部材19以外の配置は実施例1と同様のため、ここでは省略する。
【００３１】
図６は実施例２の遮光部材19付近の断面図であり、外力によりカバーが変形している様子を示す。
【００３２】
外力によりカバー17が変形し、弾性部材で構成されているカバー受け部材18はカバー17の変形に押され変形する。遮光部材19は変形したカバー17に押され変形する。この時、切れ込み部23が筒状の遮光部材19の内径に配置されているため、遮光部材19は薄肉なっている内側に倒れるように変形する。遮光部材19の内側はレンズユニット11の撮影口になっており、何も配置されていないため、遮光部材の変形により内部部材には接触しない。このため、レンズユニット11を移動させることなく、カメラ機能を維持することが可能となる。この時望ましくは、遮光部材19が変形することで、遮光部材19が配置されているレンズユニット11やその他部材への力や衝撃の伝搬が軽減されるとよい。
【００３３】
以上により、サイズを維持したまま大型化することなく、耐衝撃性と照明機能内蔵を並立した、カバーを平板で構成した監視カメラが実現される。
【００３４】
本実施例では切れ込み形状として三角形の切れ込みが２つ配置されているが、もちろん上記機能を達成するのであれば、切れ込みの形状及び数は任意に配置できる。
【００３５】
以上、本発明の好ましい実施形態について２つを説明したが、本発明はこれらの実施形態に限定されず、その要旨の範囲内で種々の変形及び変更が可能である。
【符号の説明】
【００３６】
1  本体、11  レンズユニット、12  メインケース、13  LEDユニット、14  放熱板、
15  フロントケース、16  固定部材、17  カバー、18  カバー受け部材、19  遮光部材、
20  鏡筒、21  光源、22  突起形状、23  切れ込み形状
【図１】
2017163296.tif 000003
【図２】
2017163296.tif 000004
【図３】
2017163296.tif 000005
【図４】
2017163296.tif 000006
【図５】
2017163296.tif 000007
【図６】
2017163296.tif 000008